(57)【特許請求の範囲】
【請求項１】
吸込側を備えた略円筒状を呈する風胴の収歛形状の吐出側内方に、多数の翼体を渦流形に構成した樹脂製の静翼を設け、またこの風胴に設けたベルマウスの前方に循環扇羽根を設け、この循環扇羽根をガードで保護し、このガードと前記風胴との間に設けた前記ベルマウスを跨ぐ枠体と、この枠体に設けた前記循環扇羽根回転用のモータで構成した工場用等の循環扇であって、
この循環扇の下方に、前記ベルマウスの直径と略同じ幅を有する油溜めを設け、この油溜めには略水平の溜め部屋を設けてなり、
この油溜めを備えた循環扇を、工場の棟、梁等の長手方向に向かって一個又は複数個設ける構成とした油溜めを備えた循環扇において、
前記静翼に、油溜めに達する油誘導用の誘導手段を設ける構成とした油溜めを備えた循環扇。
【請求項２】
請求項１に記載の油溜めを備えた循環扇において、
前記誘導手段を、静翼の上り翼体側に付設する構成とした油溜めを備えた循環扇。
【発明の詳細な説明】
【技術分野】
【０００１】
本発明は、主として工場（工場、建物、ハウス等の建屋であり、以下、工場とする）内に一基又は複数基設置され、工場内の油分及び／又は異物（塵、煤、粉塵等）を含んだ汚染空気を、その側面の換気扇に向かって誘導するための油溜めを備えた循環扇に関する。
【背景技術】
【０００２】
従来、この種の油溜めを備えた換気扇、又は油溜めを備えた循環扇等に関する先行文献には、次のような発明が挙げられる。
【０００３】
「１」特開２００２−３１０４７１の「換気扇のオイルポケット取付け装置」であり、この発明は、換気扇本体の整流板の裏面に、有底長方体状であって上部開放端にフランジを有するオイルポケットを設けた構成で、台所等油煙の発生する場所に設けられる換気扇に付着する油を確実に回収することを意図する。
【０００４】
「２」特開２００１−１１６３０８の「屋上換気扇」であり、この発明は、屋上換気扇のメッシュフィルター下部の固定枠内に設けた複数の集油孔と、この油孔に連設した集油配管を経て、屋内に設置した集油容器に誘導・回収する構成であり、屋外への油の飛散を防止し、かつ効率よく油の回収をすることを意図する。
【０００５】
「３」特開平９−２６１７３号の「換気扇カバー」であり、この発明は、換気扇本体の吸気側に設けた換気扇カバーにおいて、換気扇カバーには複数の棧を橋架した開口部と、この開口部の下側にある座部の内側に油受けを設けた構成であり、またフィルタにて採集された油等を油受けに確実に溜めることを意図する。
【０００６】
「４」特開平７−４７０５号の「換気扇」であり、この発明は、内部に羽根車と電動機を備えた換気扇本体の室外側に、回動自在に支持された複数のシャッター板と、その室内側に設けられ羽根車に空気を導くオリフィス枠と、このオリフィス枠の下端部に設けられ油流入口を形成する油受けで構成し、油流入口が塞がれ、油が油受けの外壁面を伝って下方に落下するのを防止し、かつオリフィス枠の掃除性を向上させることを意図する。
【０００７】
「５」特開平６−３０７６８６号の「換気扇用フィルタ体」であり、この発明は、換気扇本体の前面部に設けた外枠（化粧枠）と、この外枠の内側に一体に設けられたシート状のフィルタと、この外枠及び／又はフィルタの下端部に設けた油受部で構成し、換気扇本体の外枠にフィルタを取付けることなく運転しても、外枠に付着した油が落下せずに油受部で回収可能とすることを意図する。
【０００８】
【特許文献１】特開２００２−３１０４７１
【特許文献２】特開２００１−１１６３０８
【特許文献３】特開平９−２６１７３号
【特許文献４】特開平７−４７０５号
【特許文献５】特開平６−３０７６８６号
【発明の開示】
【発明が解決しようとする課題】
【０００９】
前述の文献「１」〜「５」は、通常の箱型を呈することから、効率的に一箇所に集合するには、問題があること、又は工場設置を意図する油受け、油受部等の油溜め構造では、容量的に問題があること等が考えられる。
【００１０】
また文献「１」〜「５」の中で、文献「１」は着脱可能な構成であるが、フランジ部を金具に挿入設置する構成であるので、本発明が意図する工場設置の油溜め構造には採用できない構成と考えられる。そして、この他の文献「２」〜「５」は、一体形の構成であり、本発明が実施態様で意図する簡易な工場設置の油溜め構造には、原則として採用できない構成である。
【００１１】
さらに文献「１」〜「５」は、油溜めに至る油の誘導手段を備えていないことから、油の回収に対して必ずしも万全でなく、油垂れによる問題が発生する可能性があり、改良の余地があると考えられる。
【課題を解決するための手段】
【００１２】
請求項１の発明は、工場内の汚染空気内（飛散及び／又は浮遊する）の油を確実に搬送しながら、この汚染空気に含まれる油を確実に回収し、油垂と、床面、コンクリート面等の工場内の汚染回避・清掃頻度の拡大等を回避すること、また機械、製品、人等の汚染・品質・環境の低下等を回避すること等を意図する。そして、工場内で飛散及び／又は浮遊する油を、油溜めに確実に誘導し、この油溜めで収容可能とすることを意図する。さらに、確実に油を誘導できる油溜めを備えた循環扇を提供することを意図する。
【００１３】
請求項１は、吸込側を備えた略円筒状を呈する風胴の収歛形状の吐出側内方に、多数の翼体を渦流形に構成した樹脂製の静翼を設け、またこの風胴に設けたベルマウスの前方に循環扇羽根を設け、この循環扇羽根をガードで保護し、このガードと前記風胴との間に設けた前記ベルマウスを跨ぐ枠体と、この枠体に設けた前記循環扇羽根回転用のモータで構成した工場用等の循環扇であって、
この循環扇の下方に、前記ベルマウスの直径と略同じ幅を有する油溜めを設け、この油溜めには略水平の溜め部屋を設けてなり、
この油溜めを備えた循環扇を、工場の棟、梁等の長手方向に向かって一個又は複数個設ける構成とした油溜めを備えた循環扇において、
前記静翼に、油溜めに達する油誘導用の誘導手段を設ける構成とした油溜めを備えた循環扇である。
【００１４】
請求項２の発明は、請求項１の目的を達成することを意図する。
【００１５】
請求項２は、請求項１に記載の油溜めを備えた循環扇において、
前記誘導手段を、静翼の上り翼体側に付設する構成とした油溜めを備えた循環扇である。
【００１６】
【００１７】
【００１８】
【００１９】
【００２０】
【００２１】
【００２２】
【発明の効果】
【００２３】
請求項１の発明は、吸込側を備えた略円筒状を呈する風胴の収歛形状の吐出側内方に、多数の翼体を渦流形に構成した樹脂製の静翼を設け、また風胴に設けたベルマウスの前方に循環扇羽根を設け、循環扇羽根をガードで保護し、ガードと風胴との間に設けたベルマウスを跨ぐ枠体と、枠体に設けた循環扇羽根回転用のモータで構成した工場用等の循環扇であって、
循環扇の下方に、ベルマウスの直径と略同じ幅を有する油溜めを設け、油溜めには略水平の溜め部屋を設けてなり、
油溜めを備えた循環扇を、工場の棟、梁等の長手方向に向かって一個又は複数個設ける構成とした油溜めを備えた循環扇において、
静翼に、油溜めに達する油誘導用の誘導手段を設ける構成とした油溜めを備えた循環扇である。
【００２４】
従って、請求項１は、工場内の汚染空気内（飛散及び／又は浮遊する）の油を確実に搬送しながら、この汚染空気に含まれる油、異物を確実に回収し、油垂と、床面、コンクリート面等の工場内の汚染回避・清掃頻度の拡大等を回避できること、また機械、製品、人等の汚染・品質・環境の低下等を回避できること等の特徴を有する。そして、請求項１は、工場内で飛散及び／又は浮遊する油、異物を、油溜めに確実に誘導し、この油溜めでの収容が可能となる実益を有する。さらに、請求項１は、確実に油を誘導できる油溜めを備えた循環扇を提供できる利点がある。
【００２５】
請求項２の発明は、請求項１に記載の油溜めを備えた循環扇において、
誘導手段を、静翼の上り翼体側に付設する構成とした油溜めを備えた循環扇である。
【００２６】
従って、請求項２は、請求項１の目的を達成できる。
【００２７】
【００２８】
【００２９】
【００３０】
【００３１】
【００３２】
【発明を実施するための最良の形態】
【００３３】
本発明の実施形態の一例を説明すると、先ず、図面の説明をすると、図１は工場に油溜めを備えた循環扇を設置（設置したとする）した状態の一例を示した（一例を省略する）正面模式図、図２は図１の設置を示した拡大正面図、図３は他の建屋に油溜めを備えた循環扇の利用構造を示した模式斜視図、図４は油溜めを備えた循環扇を示した拡大正面図、図５は図４の裏面図、図６は一部欠截の側面図、図７は図４の油溜めを示した斜視図、図８は図４の例に油誘導用の誘導手段を設けた正面図、図９は図６の例に油排出用のホースを設けた正面図、図１０は図６の例とは異なる油溜めの固定手段を示した側面図、図１１は図１０の油溜めを取外す過程を示した側面図である。
【００３４】
そして、図４〜図６に示した本発明に採用する循環扇Ａに関して説明すると、この循環扇Ａは、吸込側１ａと吐出側１ｂとを備えた略円筒状を呈する略φ３４０〜φ３７０程度の風胴１と、風胴１の収歛形状の吐出側１ｂ内方に設けた多数の翼体を渦流形に構成した樹脂製の静翼２と、前記風胴１に設けたベルマウス３（風ガイド）と、またこの風胴１のベルマウス３（拡開形状）の前方に設けた（軸流）循環扇羽根４と、この循環扇羽根４を保護するガード５と、このガード５と前記風胴１との間に設けた当該両者（当該ガード５と当該風胴１）を連結する前記ベルマウス３を跨ぐ枠体６と、この枠体６に設けた循環扇羽根４の回転を司るモータ７とで構成される。尚、ベルマウス３は風胴１に一体構造の例と、別体の構造の例とが有り、必要性及び／又は材質、加工等の条件によって適宜選択される。
【００３５】
尚、この風胴１は鋼板又はアルミ鋼板等の鋼材（鋼材とする）で構成し、その吐出側１ｂに巻絞り１ｂ−１を設ける。また前記静翼２は風胴１の円筒部１００の前側内周面に取付け、その先端部より収歛形状として風を収歛する構造となっている。また枠体６は板状の鋼材を使用した構成であって、この枠体６は風胴１の円筒部１００の後側外周面に設けた突片６００とモータ７のケース７００との間に連結されており、前記ベルマウス３とガード５とを跨ぐように設けられる。この例では、放射状に少なくとも四本設ける。またこの枠体６の立上がり部６ａには多目的用の孔６０１を開設する。尚、図示しないが、この突片６００と、この突片６００に設けた孔６０２に支持金具連結具を設け、この支持金具連結具にボルト、ナット等の緊締具を介して支持金具を設ける。この支持金具連結具と支持金具を介して工場Ｂの横梁Ｂ１に立設した支持杆Ｂ２に片持ち式に設置することも可能である。
【００３６】
図中８は、深底形状であって、油及び／又は異物の飛散を極力少なくするための機能を備えた油溜め（油受け皿）であり、この油溜め８は、この目的を達成するために側面視して、略船形形状をしており、溜め部屋８００を構成する底面８ａと、この底面８ａから左右及び／又は少なくとも前側に向かって上り傾斜した誘導用の傾斜面８ｂと、この傾斜面８ｂより立上がり、かつ平面視して略台形状にこの傾斜面８ｂを囲繞した壁面８ｃで構成されている。従って、循環扇Ａに付着した油及び／又は異物を、確実・スムーズ・包括的に溜め部屋８００に導く構成となっている。しかし、この油溜め８は好ましい形状であり、限定されない。また循環扇Ａの形状及び／又は循環扇Ａの機能・設置状況・工場、また工場等における加工製品、或は循環扇Ａを設置する場所（ハウス、畜舎等）を条件として変更される場合もあり得る。そして、この図例では、油溜め８を、図１、図３に示す如く、工場Ｂの横梁Ｂ１に一基又は数基設置する。
【００３７】
次に、この油溜め８を、循環扇Ａの下方（一例である）に設ける（取付ける）好ましい各例を説明する。先ず、第一の例を、この図４〜図７において説明する。この例では、枠体６の孔６０２を利用して油溜め８を設ける。即ち、油溜め８の左右の壁面８ｃに少なくとも対で設けたくの字形を呈する支持金具９を利用する構成であり、この支持金具９を前記枠体６の傾斜角度に整合し、この枠体６の孔６０２と支持金具９の孔９００を整合し、ここに取付け金具１０を挿入して緊締する。この緊締操作を介して油溜め８を循環扇Ａに設ける（取付けする）。そして、この例では、枠体６と支持金具９の傾斜角度を整合し、取付け金具１０を利用して取付けることから、この油溜め８の確実及び／又は安定した取付けと、簡易な取付け及び／又は着脱自在の取付け等が図れて重宝する。この例における油溜め８の取外しは前述の操作の逆であり、理解できるので省略する。次に、第二の例を、この図１０、図１１において説明する。この例では、壁面８ｃに止め具１２を介してスプリングで構成する開閉自在の略Ｕ字形取付け具１３を設け、また枠体６の立上がり部６ａには、この略Ｕ字形取付け具１３を受入れる孔６ｂを備えた対の係止片６ｃを設ける。従って、この例では、略Ｕ字形取付け具１３を孔６ｂより挿入し、この略Ｕ字形取付け具１３を拡開するとともに、この略Ｕ字形取付け具１３の対の係止先端１３００を対の係止片６ｃに係止することで、この油溜め８は循環扇Ａに取付けられる。またこの例における油溜め８は、この油溜め８を下方に引下げる（取外し方向に引く）ととともに、この略Ｕ字形取付け具１３の係止先端１３００を係止片６ｃより外し、この略Ｕ字形取付け具１３を縮小した後、この略Ｕ字形取付け具１３を孔６ｂより引抜く所作で簡易かつ確実に取外され、何ら工具を要さず、この取外し作業ができる。そして、各例とも前述のそれぞれの所作を介して循環扇Ａに油溜め８を、自由かつ確実及び／又は安定した取付け（取外し）と、簡易な取付け（取外し）及び／又は着脱自在の取付け（取外し）等が図れて重宝する。
【００３８】
また図中２０は油溜め８に達する正面視して曲面で、かつ帯状を呈する油誘導用の誘導手段で、この油誘導用の誘導手段２０を、静翼２に付設する油Ｈをこの油溜め８に誘導する。この例では、静翼８の上り翼体側８００で、吐出側８０１に設ける構成であり、この静翼２を流れる風により、油Ｈが飛散されること回避し、例えば、油Ｈを確実に回収し、油垂と、床面、コンクリート面等の工場内の汚染回避・清掃頻度の拡大等を回避できること、また機械、製品、人等の汚染・品質・環境の低下等を回避できること等の利点がある。
【００３９】
尚、図中２１は溜め部屋８００の排出口（図示せず）に接続した自動開閉のコック２２を備えたホースで、この溜め部屋８００の油Ｈ、異物を他の場所に送る。従って、この溜め部屋８００からの油Ｈ、異物の処理の容易化、清掃回数の軽減化等が図れる利点がある。
【図面の簡単な説明】
【００４０】
【図１】図１は工場、建物、ハウス等の建屋に油溜めを備えた循環扇を設置（設置したとする）した状態の一例を示した（一例を省略する）正面模式図
【図２】図２は図１の設置を示した拡大正面図
【図３】図３は他の建屋に油溜めを備えた循環扇の利用構造を示した模式斜視図
【図４】図４は油溜めを備えた循環扇を示した拡大正面図
【図５】図５は図４の裏面図
【図６】図６は一部欠截の側面図
【図７】図７は図４の油溜めを示した斜視図
【図８】図８は図４の例に油誘導用の誘導手段を設けた正面図
【図９】図９は図６の例に油排出用のホースを設けた正面図
【図１０】図１０は図６の例とは異なる油溜めの固定手段を示した側面図
【図１１】図１１は図１０の油溜めを取外す過程を示した側面図
【符号の説明】
【００４１】
１  風胴
１００  円筒部
１ａ  吸込側
１ｂ  吐出側
１ｂ−１  巻絞り
２  静翼
３  ベルマウス
４  循環扇羽根
５  ガード
６  枠体
６ａ  立上がり部
６ｂ  孔
６ｃ  係止片
６００  突片
６０１  孔
６０２  孔
７  モータ
７００  ケース
８  油溜め
８ａ  底面
８ｂ  傾斜面
８ｃ  壁面
８００  溜め部屋
９  支持金具
９００  孔
１０  取付け金具
１２  止め具
１３  略Ｕ字形取付け具
１３００  係止先端
２０  誘導手段
２１  ホース
２２  コック
Ａ  循環扇
Ｂ  工場
Ｂ１  横梁
Ｂ２  支持杆
Ｈ  油
【図１】
0004758233.tif 000002
【図２】
0004758233.tif 000003
【図３】
0004758233.tif 000004
【図４】
0004758233.tif 000005
【図５】
0004758233.tif 000006
【図６】
0004758233.tif 000007
【図７】
0004758233.tif 000008
【図８】
0004758233.tif 000009
【図９】
0004758233.tif 000010
【図１０】
0004758233.tif 000011
【図１１】
0004758233.tif 000012